(57)【特許請求の範囲】
【請求項１】
ユニット式電力量計のユニットケースにおけるベースの上面及び左右側面からそれぞれ突出させて設けられる、ユニットケース前面側のカバーを取付けるための略板状の三つのカバー留め部に対し、ベース上面のカバー留め部を貫通させる孔を穿設されると共に、ベース左右側面の各カバー留め部を係合させる切欠き部を設けられて、少なくともベースの上側及び左右両側を取囲む状態でベースの各カバー留め部に対し着脱自在且つベースの前後方向については固定状態として配設される固定フレームと、
当該固定フレームにおける前記ベースの左右両側に位置する左右の側辺部分に、少なくともベースにおける一ユニットの取付範囲にわたって上下方向に移動可能としてそれぞれ左右端部を取付けられて、前記左右の側辺部分の間に架設される可動フレームと、
ユニットの左右両側に設けられる引抜工具を掛けるための凸部に対し、当該凸部に掛けられる略鉤状の先端部を左右にそれぞれ形成されると共に、ユニットの前面に当接可能な略板状の押圧部を有してなり、前記可動フレームにベースの前後方向に移動可能に取付けられるユニット保持部と、
当該ユニット保持部を前記可動フレームに対しベースの前後方向に移動させる駆動機構とを備えることを
特徴とするユニット式電力量計のユニット着脱用工具。
【請求項２】
前記請求項１に記載のユニット着脱用工具において、
前記ユニット保持部の押圧部に上下方向の少なくとも一方の端部から反対側へ向けて切欠き部を設け、
当該切欠き部位置での押圧部の上下方向寸法が、ユニットの上下方向厚さより小さくなることを
特徴とするユニット着脱用工具。
【請求項３】
前記請求項１に記載のユニット着脱用工具において、
前記ユニット保持部の押圧部が、上下方向の最大寸法をユニットの上下方向厚さより大きくして形成され、
前記押圧部の上下方向の端部に、押圧部で押す対象のユニットと隣接する既設の他ユニットの前面と接触可能に配設され、既に正常な取付状態にある前記他ユニット前面への接触、押付けに伴って一部分を相対移動させ、前記押圧部で押す対象のユニットが正常な取付状態の位置に達した際には、前記相対移動する一部分の押圧部前面側における露出状態を、前記押圧部で押す対象のユニットが正常な取付状態の位置に達する前から変化させる取付状態指示部を備えることを
特徴とするユニット着脱用工具。
【請求項４】
前記請求項１ないし３のいずれかに記載のユニット着脱用工具において、
前記固定フレームが、前記左右の側辺部分に、少なくともベースにおける全ユニットの取付範囲にわたって上下方向に連続する長孔をそれぞれ穿設され、
前記可動フレームが、前記固定フレームの長孔に矩形断面形状の端部を係合させ、長孔の穿設範囲にわたって上下方向移動可能とされ、
前記固定フレーム以外の可動フレーム、ユニット保持部、及び駆動機構を合わせた上下可動部分の全体の重心が、固定フレームからベース前方側に離れた箇所に位置することを
特徴とするユニット着脱用工具。
【請求項５】
前記請求項１ないし４のいずれかに記載のユニット着脱用工具において、
前記駆動機構として、前記可動フレームのベース前方位置に回動可能に支持されると共に、前記ユニット保持部に螺合し、回転に伴ってユニット保持部との螺合位置を相対移動させてユニット保持部をベース前後方向に移動させるねじ軸と、当該ねじ軸を手動回転させるハンドルとを備えることを
特徴とするユニット着脱用工具。
【請求項６】
前記請求項１ないし５のいずれかに記載のユニット着脱用工具において、
前記ユニット保持部の先端部よりベース前方側の可動フレーム及び／又はユニット保持部の一部に開口部を設け、当該開口部を介して前記先端部をベース前方側から視認可能とすることを
特徴とするユニット着脱用工具。
【発明の詳細な説明】
【技術分野】
【０００１】
本発明は、ユニット式電力量計で用いられる計器等の各種ユニットをユニットケースに対し着脱するためのユニット着脱用工具に関する。
【背景技術】
【０００２】
需要家での使用電力量を計量する電力量計としては、近年、機械式計器に代って電子式計器が使用されるようになっており、特に、電力量計をユニット化し、ソケットによる接続方式を採用して、計器工事時の作業の安全性向上を図ると共に、遠隔検針を行う通信ユニット等を組合わせて多機能化が可能なユニット式電力量計の設置、使用が増加している。
【０００３】
ユニット式電力量計は、電力量計ユニット等の各種ユニットをユニットケースに取付けて用いる仕組みであり、配線は、ソケット接続のため、ユニットがユニットケースに取付けられると同時にユニット側の端子がユニットケース側の端子に電気的に接続することとなり、作業者の配線作業の手間が省かれる。
【０００４】
ただし、電力量計ユニット等のユニットとユニットケースとのソケット接続部分は、一方の端子をなす導体製の刃を他方の端子をなす導体製の刃受けに対し挿抜する仕組みとなっており、このソケット接続部分の信頼性を高めるため、刃を刃受けで強力に挟み込んで電気的接続を確保するようにしていることから、刃側の端子を刃受け側の端子に対し挿抜するためには、刃受けの挟持力に対抗する強い力が必要である。従って、作業者がユニットをユニットケースから取外す際にはユニットをユニットケースから強い力で引離すことが、ユニットをユニットケースに取付ける際にはユニットをユニットケースに強い力で押付けることが、それぞれ要求される。
【０００５】
このため、ユニットの着脱を作業者が手で行う場合には、作業に相当の困難を伴う上、特にユニットをユニットケースから取外す場合には、ユニットを手で引くように力を加えるため、ユニットがユニットケースから外れた際に、勢い余ってユニットが手から離れ、ユニットが落下する危険性があった。
【０００６】
このため、ユニットをユニットケースから容易に取外せるようにする工具が提案されており、その一例として、特開２００６−２９２４４２号公報に記載されるものがある。
【先行技術文献】
【特許文献】
【０００７】
【特許文献１】特開２００６−２９２４４２号公報
【発明の概要】
【発明が解決しようとする課題】
【０００８】
従来のユニット式電力量計におけるユニット取外し用の工具は、前記特許文献に示される構成となっており、てこの原理を応用してユニットをユニットケースからスムーズに取外すことができるものであったが、ユニットをユニットケースに取付ける際の、ユニットをユニットケースに押付ける作業には使用することができず、ユニット取付けの際には、手でユニットをユニットケースに向けて押し、ユニットがユニットケースのベース前面に正常に当接し、ユニット側の端子とユニットケース側の端子が電気的に接続して容易に離れない状態となるまでユニットに押圧力を加える作業が依然行われている。
【０００９】
しかしながら、ユニット式電力量計は、需要家の建物の壁等に設置されていることから、壁等の設置面の強度があまり高くない場合、作業者がユニットをユニットケースに向けて押す力を強く加えると、ユニットケースのベースを介して設置面に加わるこの押す力に設置面が耐えきれず、設置面の破損を招く危険性があるという課題を有していた。
【００１０】
本発明は前記課題を解決するためになされたもので、ユニットをユニットケースから取外す際だけでなくユニットケースに取付ける際にも使用でき、ユニットの着脱が安全且つスムーズに行えるユニット着脱用工具を提供することを目的とする。
【課題を解決するための手段】
【００１１】
本発明に係るユニット着脱用工具は、ユニット式電力量計のユニットケースにおけるベースの上面及び左右側面からそれぞれ突出させて設けられる、ユニットケース前面側のカバーを取付けるための略板状の三つのカバー留め部に対し、ベース上面のカバー留め部を貫通させる孔を穿設されると共に、ベース左右側面の各カバー留め部を係合させる切欠き部を設けられて、少なくともベースの上側及び左右両側を取囲む状態でベースの各カバー留め部に対し着脱自在且つベースの前後方向については固定状態として配設される固定フレームと、当該固定フレームにおける前記ベースの左右両側に位置する左右の側辺部分に、少なくともベースにおける一ユニットの取付範囲にわたって上下方向に移動可能としてそれぞれ左右端部を取付けられて、前記左右の側辺部分の間に架設される可動フレームと、ユニットの左右両側に設けられる引抜工具を掛けるための凸部に対し、当該凸部に掛けられる略鉤状の先端部を左右にそれぞれ形成されると共に、ユニットの前面に当接可能な略板状の押圧部を有してなり、前記可動フレームにベースの前後方向に移動可能に取付けられるユニット保持部と、当該ユニット保持部を前記可動フレームに対しベースの前後方向に移動させる駆動機構とを備えるものである。
【００１２】
このように本発明によれば、固定フレームをユニットケースのベースにおけるカバー留め部に係合させて固定した上で、可動フレーム及びユニット保持部をユニット位置に合せ、ユニット保持部の先端部をユニットの凸部に掛け、あるいは押圧部をユニットの前面側に位置させた上で、駆動機構を用いて力を加えつつユニット保持部をユニットケースの前後方向に徐々に移動させると、ユニットをユニットケースに対し遠ざける向き又は近付ける向きに強力に動かせることにより、ユニットのユニットケースへの取付及び取外し作業を安全に且つ容易に能率よく実行でき、作業者は作業に際し強い力を加えずに済み、ユニット式電力量計の設置面等への悪影響を防げる。また、固定フレームがベースのカバー留め部に固定される以外で、工具の支持に係るユニットケースへの接触はないことにより、ユニットケース本体部分を損傷させずに済み、ユニットケース内の気密を損うような事態を招かず、計器に悪影響を与えない。
【００１３】
また、本発明に係るユニット着脱用工具は必要に応じて、前記ユニット保持部の押圧部に上下方向の少なくとも一方の端部から反対側へ向けて切欠き部を設け、当該切欠き部位置での押圧部の上下方向寸法が、ユニットの上下方向厚さより小さくなるものである。
【００１４】
このように本発明によれば、ユニット保持部の押圧部端部に切欠き部を設けて、押圧部で押す対象のユニット前面の上下方向端部が切欠き部を通じて見えるようにし、押圧部で押す対象のユニットの前面が既設の正常取付状態にある他のユニットの前面と揃ったか否かを確認できることにより、押圧部で押す対象のユニット前面が他のユニットの前面に揃った状態からユニットの正常取付状態を適切且つ容易に判断でき、ユニットとベースとの位置関係が正常取付状態に至ったことを的確に把握して作業を速やかに終了でき、作業能率を向上させられると共に、ユニットを押しすぎることが無く、過剰な力を加えてユニットやベース等が破損するのを避けられる。
【００１５】
また、本発明に係るユニット着脱用工具は必要に応じて、前記ユニット保持部の押圧部が、上下方向の最大寸法をユニットの上下方向厚さより大きくして形成され、前記押圧部の上下方向の端部に、押圧部で押す対象のユニットと隣接する既設の他ユニットの前面と接触可能に配設され、既に正常な取付状態にある前記他ユニット前面への接触、押付けに伴って一部分を相対移動させ、前記押圧部で押す対象のユニットが正常な取付状態の位置に達した際には、前記相対移動する一部分の押圧部前面側における露出状態を、前記押圧部で押す対象のユニットが正常な取付状態の位置に達する前から変化させる取付状態指示部を備えるものである。
【００１６】
このように本発明によれば、ユニット保持部の押圧部端部に、既に正常取付状態にある他ユニット前面と接触して一部分を相対移動可能とした取付状態指示部を設け、この取付状態指示部の相対移動する一部分の押圧部前面側における露出状態変化から、押圧部で押す対象のユニットが正常な取付状態の位置まで達しているか否かを確認できることにより、ユニットの正常取付状態を押圧部の前面側から容易に判断でき、ユニットとベースとの位置関係が正常取付状態に至ったことを的確に把握して作業を速やかに終了でき、作業能率を向上させられると共に、ユニットを押しすぎることが無く、過剰な力を加えてユニットやベース等が破損するのを避けられる。
【００１７】
また、本発明に係るユニット着脱用工具は必要に応じて、前記固定フレームが、前記左右の側辺部分に、少なくともベースにおける全ユニットの取付範囲にわたって上下方向に連続する長孔をそれぞれ穿設され、前記可動フレームが、前記固定フレームの長孔に矩形断面形状の端部を係合させ、長孔の穿設範囲にわたって上下方向移動可能とされ、前記固定フレーム以外の可動フレーム、ユニット保持部、及び駆動機構を合わせた上下可動部分の全体の重心が、固定フレームからベース前方側に離れた箇所に位置するものである。
【００１８】
このように本発明によれば、固定フレームに上下方向に連続する長孔を穿設し、この長孔と可動フレームの矩形断面形状とした端部とを係合させて、可動フレームをベースにおける全ユニットの取付範囲にわたって移動可能とすると共に、固定フレーム以外の上下可動部分全体の重心を、固定フレームからベース前方側に離れて位置するようにして、上下可動部分を可動フレームのベース前方側部分がより下方となるように傾けた状態とすると、可動フレームの端部が固定フレームの長孔内で傾いて、可動フレームの端部の角部と固定フレームの長孔周縁部とが接触する中、この可動フレーム端部角部と長孔周縁部との摩擦、並びに上下可動部分全体の重心位置による前記角部周りのモーメントの釣合いの関係で、上下可動部分は固定フレームに対し落下することなく止った状態に保持されることにより、ユニットの取付や取外しを行わない位置まで可動フレームをはじめとする上下可動部分を移動させ、且つ上下可動部分を傾けて保持状態とすれば、強い力を必要とせずに取外せる状態まで工具で外したユニットを完全に手で取外す作業や、未取付状態のユニットを取付対象の位置に配置して工具で押せる状態にする作業を行うにあたり、固定フレームのベースへの固定状態はそのままで、可動フレームやユニット保持部等が前記作業の支障とならない状態を得られることとなり、こうした作業の邪魔にならないよう工具を一旦取外し、作業後に再度工具を取付ける手間が必要ない上、作業中にユニットを手で取扱う際に、可動フレームやユニット保持部等を手で邪魔にならない位置に保持しておくような煩わしさもなく、ユニットの取付、取外しを連続して行う場合の作業性が著しく向上する。
【００１９】
また、本発明に係るユニット着脱用工具は必要に応じて、前記駆動機構として、前記可動フレームのベース前方位置に回動可能に支持されると共に、前記ユニット保持部に螺合し、回転に伴ってユニット保持部との螺合位置を相対移動させてユニット保持部をベース前後方向に移動させるねじ軸と、当該ねじ軸を手動回転させるハンドルとを備えるものである。
【００２０】
このように本発明によれば、可動フレームに回動可能に支持されると共にユニット保持部に螺合するベース前後方向に平行なねじ軸と、これを回転させるハンドルとが駆動機構をなし、ハンドルを介したねじ軸の手動回転でユニット保持部を移動させ、ユニット保持部の先端部や押圧部でユニットに力を加えてこれを動かすことにより、簡略な構造で確実に強力な力をユニットに付加して取付や取外しを実行でき、且つねじ軸との螺合の関係でユニット保持部とこれにより動かされるユニットのベース前後方向への移動を徐々に行わせることができ、ユニットやベースに衝撃を与えることもなく、誰でも容易且つ適切にユニットの取付・取外し作業を進められる。
【００２１】
また、本発明に係るユニット着脱用工具は必要に応じて、前記ユニット保持部の先端部よりベース前方側の可動フレーム及び／又はユニット保持部の一部に開口部を設け、当該開口部を介して前記先端部をベース前方側から視認可能とするものである。
【００２２】
このように本発明によれば、ユニット保持部の先端部をユニット保持部及び可動フレームの前方側から視認可能とする開口部を可動フレームやユニット保持部に設けることにより、ユニット保持部の先端部をユニットの凸部に掛ける作業が、作業者が先端部を確認しながら実施でき、小さな凸部に対し先端部のベース前後方向位置を合せた上でユニット保持部を可動フレーム等と共にずらして先端部を凸部に掛ける細かい作業が行いやすくなり、作業性を大きく向上させて作業時間の短縮が図れる。
【図面の簡単な説明】
【００２３】
【図１】本発明の第１の実施形態に係るユニット着脱用工具の斜視図である。
【図２】本発明の第１の実施形態に係るユニット着脱用工具の正面図である。
【図３】本発明の第１の実施形態に係るユニット着脱用工具の背面図である。
【図４】本発明の第１の実施形態に係るユニット着脱用工具の平面図である。
【図５】本発明の第１の実施形態に係るユニット着脱用工具の底面図である。
【図６】本発明の第１の実施形態に係るユニット着脱用工具の右側面図である。
【図７】図２のＡ−Ａ断面図である。
【図８】本発明の第１の実施形態に係るユニット着脱用工具を適用するユニットケースの分解説明図である。
【図９】本発明の第１の実施形態に係るユニット着脱用工具を適用するユニットのベース取付状態正面図である。
【図１０】本発明の第１の実施形態に係るユニット着脱用工具を適用するベースの正面図である。
【図１１】本発明の第１の実施形態に係るユニット着脱用工具のベースへの取付開始状態説明図である。
【図１２】本発明の第１の実施形態に係るユニット着脱用工具のベースへの固定状態説明図である。
【図１３】本発明の第１の実施形態に係るユニット着脱用工具における固定状態の斜視図である。
【図１４】本発明の第１の実施形態に係るユニット着脱用工具における固定状態の正面図である。
【図１５】本発明の第１の実施形態に係るユニット着脱用工具によるユニット取外し作業時におけるユニット保持部の位置合せ状態説明図である。
【図１６】本発明の第１の実施形態に係るユニット着脱用工具によるユニット取外し作業時におけるユニット保持部でのユニット引出し状態説明図である。
【図１７】本発明の第１の実施形態に係るユニット着脱用工具によるユニット取外し作業時における引出したユニットからのユニット保持部取外し状態説明図である。
【図１８】本発明の第１の実施形態に係るユニット着脱用工具における上下可動部分の固定枠部最上部への保持状態説明図である。
【図１９】本発明の第１の実施形態に係るユニット着脱用工具によるユニット取付作業時におけるユニット保持部の位置合せ状態説明図である。
【図２０】本発明の第１の実施形態に係るユニット着脱用工具によるユニット取付作業時におけるユニット保持部でのユニット押圧状態状態説明図である。
【図２１】本発明の第１の実施形態に係るユニット着脱用工具によるユニット取付作業時における正常取付状態のユニットからのユニット保持部取外し状態説明図である。
【図２２】本発明の第２の実施形態に係るユニット着脱用工具における固定状態の正面図である。
【図２３】本発明の第２の実施形態に係るユニット着脱用工具の底面図である。
【図２４】本発明の第２の実施形態に係るユニット着脱用工具における取付状態指示部の概略構成説明図である。
【図２５】本発明の第２の実施形態に係るユニット着脱用工具によるユニット取付作業時における取付状態指示部の作動状態説明図である。
【発明を実施するための形態】
【００２４】
（本発明の第１の実施形態）
以下、本発明の第１の実施形態を前記図１ないし図２１に基づいて説明する。
前記各図において本実施形態に係るユニット着脱用工具１は、ユニット式電力量計のユニットケース５０におけるベース５１の上側及び左右両側を取囲む状態でベース５１の各カバー留め部５２、５３、５４に対し着脱自在として配設される固定フレーム１１と、この固定フレーム１１における左右の側辺部分１１ｂ、１１ｃに上下方向に移動可能として架設される可動フレーム１２と、略鉤状の先端部１３ａ及び略板状の押圧部１３ｂを有して前記可動フレーム１２にユニットケース５０の前後方向に移動可能に取付けられるユニット保持部１３と、このユニット保持部１３を前記可動フレーム１２に対しユニットケース５０前後方向に移動させる前記駆動機構としてのねじ軸１４及びハンドル１５とを備える構成である。
【００２５】
なお、本実施形態に係るユニット着脱用工具１を適用するユニット式電力量計は、そのユニットケース５０における前面側の透明カバー５５を取付けるための略板状の三つのカバー留め部５２、５３、５４が、ユニットケース５０のベース５１の上面及び左右側面からそれぞれ突出させて設けられているものとする。これらのカバー留め部５２、５３、５４には、カバー固定用の雌ねじ部等が設けられることとなる。また、着脱対象のユニット６０については、ユニット６０の左右両側に公知の引抜工具を掛けるための凸部６１がそれぞれ設けられているものとする。
【００２６】
前記固定フレーム１１は、上辺部分１１ａと左右の側辺部分１１ｂ、１１ｃとを備える略コ字形状として形成され、ユニットケース５０におけるベース５１の上面及び左右側面に設けられる略板状の三つのカバー留め部５２、５３、５４に対し、上辺部分１１ａにベース５１上面のカバー留め部５２を下から貫通させて係合させる孔１１ｄを穿設されると共に、左右の側辺部分１１ｂ、１１ｃにベース左右側面の各カバー留め部５３、５４を下方から係合させる切欠き部１１ｅ、１１ｆをそれぞれ設けられてなり、ベース５１の各カバー留め部５２、５３、５４に対し、上下方向へ着脱自在とされる一方、ベース５１の前後方向については拘束状態とされて、ベース５１の上側及び左右両側を取囲む状態で配設される構成である。
また、固定フレーム１１の左右の側辺部分１１ｂ、１１ｃには、その上下方向の略全体にわたって長孔１１ｇ、１１ｈがそれぞれ穿設され、この長孔１１ｇ、１１ｈに可動フレーム１２の端部が上下移動可能に係合することとなる。
【００２７】
この固定フレーム１１については、ベース５１の各カバー留め部５２、５３、５４に着脱可能な範囲で、ベース５１の外形より若干大きめの形状として形成するのが、製造元の違いによるユニットケースの外形寸法の微小な差異を吸収できる点で好ましい。
なお、固定フレーム１１は、ベース５１の幅より少し大きい所定の作業用工具をベース５１下部の端子部５１ａに取付ける可能性を考慮して、左右の側辺部分１１ｂ、１１ｃの長さを、端子部５１ａの側方に達しない程度に設定するのが好ましい。ただし、固定フレーム１１はこうした上辺部分１１ａと左右側辺部分１１ｂ、１１ｃからなる略コ字形状とされる構成に限られるものではなく、ベース５１の下側を含むベース５１全体を取囲むような閉じた矩形状に形成される構成とすることもできる。
【００２８】
前記可動フレーム１２は、前記固定フレーム１１における左右の側辺部分１１ｂ、１１ｃの各長孔１１ｇ、１１ｈに上下方向移動可能としてそれぞれ左右端部を取付けられて、前記側辺部分１１ｂ、１１ｃの間に架設される構成である。詳細には、可動フレーム１２は、前辺部分１２ａと左右の側辺部分１２ｂ、１２ｃとを備える略コ字形状として形成され、左右の側辺部分１２ｂ、１２ｃの略Ｊ字形状とされた後側の端部１２ｄ、１２ｅを各長孔１１ｇ、１１ｈに係合させて、この長孔１１ｇ、１１ｈの穿設範囲にわたって上下方向に移動可能とされ、固定フレーム１１の側辺部分１１ｂ、１１ｃの間に位置しつつも固定フレーム１１から前方に大きく突出した状態で配設される構成である。
【００２９】
固定フレーム１１の長孔１１ｇ、１１ｈの穿設範囲は、ユニットケース５０のベース５１における全ユニットの取付範囲に及んでいることから、可動フレーム１２は、このベース５１における全ユニットの取付範囲にわたって上下方向に移動可能となっている。
【００３０】
可動フレーム１２の前辺部分１２ａは、ベース５１の前方に位置しており、この前辺部分１２ａの中央部に、前記ねじ軸１４が回動可能に支持される。
【００３１】
前記ユニット保持部１３は、ユニット６０の左右両側の凸部６１に掛けられる略鉤状の先端部１３ａを左右にそれぞれ形成されると共に、ユニット６０の前面に当接可能な略板状の押圧部１３ｂを有してなり、前記可動フレーム１２にユニットケース５０の前後方向に移動可能に取付けられる構成である。詳細には、ユニット保持部１３は、前辺部分１３ｃと左右の側辺部分１３ｄ、１３ｅとからなる略コ字形状部分を有し、略鉤状の先端部１３ａが左右の側辺部分１３ｄ、１３ｅの末端に設けられると共に、略板状の押圧部１３ｂが左右の側辺部分１３ｄ、１３ｅの略中間部分に掛渡して配設され、左右の側辺部分１３ｄ、１３ｅが可動フレーム１２の左右の側辺部分１２ｂ、１２ｃにそれぞれ沿い、且つ先端部１３ａがユニットケース５０の後方側に位置する状態で、可動フレーム１２の内側に配設される構成である。
このユニット保持部１３の前辺部分１３ｃの中央部には、可動フレーム１２の前辺部分１２ａに回動可能に支持された前記ねじ軸１４のねじ部分が螺合している。
【００３２】
前記先端部１３ａは、ユニット６０がユニットケース５０のベース５１に完全に取付けられた状態で、ユニット６０の左右両側の凸部６１とベース５１との間に生じる隙間６２に入り込める大きさの略鉤状に形成され（図６、図７、図１５参照）、この先端部１３ａを前記隙間６２に挿入して凸部６１に掛け、ユニット保持部１３をユニットケース５０前方側へ動かすことで、凸部６１と一体のユニット６０をユニットケース５０前方側、すなわち取外し側へ動かせる仕組みである。
【００３３】
前記押圧部１３ｂは、ベース５１に取付けられるユニット６０の最大上下方向厚さより上下方向寸法の大きい略矩形状の略板状体として形成され、上下方向の一方の端部、例えば下端部から反対側へ向けて所定幅の切欠き部１３ｆを設けられ、必要に応じて板面から起立した補強用のリブ部１３ｇを形成されてなる構成である。なお、切欠き部１３ｆは、この切欠き部１３ｆのある押圧部１３ｂの最小上下寸法部分がユニット６０の上下方向厚さより小さくなるような大きさとして切欠き形成される。そして、切欠き部１３ｆを除く押圧部１３ｂのユニットケース５０後方側の面には、ユニット６０前面との接触に際し緩衝材として機能してユニット６０前面の傷付きを防止するゴム等の弾性材製シート１３ｈが貼設される。
【００３４】
押圧部１３ｂがユニット６０の最大上下方向厚さより上下方向寸法を大きくされることで、押圧部１３ｂの上下方向の端部は、押圧部１３ｂで押す対象のユニット６０と隣接する既設の他ユニットと接触可能となっている（図２０参照）。また、切欠き部１３ｆにおいては、押圧部１３ｂで押す対象のユニット６０の前面端部、例えば前面の下端部がユニットケース５０前方側から視認可能となっている（図１３、１４参照）。
【００３５】
この押圧部１３ｂと前記先端部１３ａの位置関係は、先端部１３ａがユニット６０の凸部６１に掛った状態で、押圧部１３ｂがユニット６０の前面近傍にほとんど接する状態として存在するものとし、且つ押圧部１３ｂがユニット６０の前面にシート１３ｈを最大限押し縮めた状態で当接した状況でも、先端部１３ａが凸部６１からそれほど離れず、前記隙間６２の寸法範囲内に留まってベース５１と誤って接触し得ない関係に設定される。
【００３６】
なお、ユニット保持部１３の先端部１３ａは、ユニット６０の着脱作業中においては、押圧部１３ｂやユニット６０の存在によってユニットケース５０前方側から作業者が視認することは困難であることから、作業者が先端部１３ａのユニットケース５０前後方向位置を把握しやすくするために、ユニットケース５０前後方向に移動しない可動フレーム１２に対するユニット保持部１３のユニットケース５０前後方向位置変化を示す目盛等の目印をユニット保持部１３の視認可能な表面と可動フレーム１２にそれぞれ設け、特に、ベース５１に完全に取付けられた状態のユニット６０の凸部６１とベース５１間の前記隙間６２に先端部１３ａが存在する場合と同じユニットケース５０前後方向位置関係を示す目印等を、ユニット保持部１３表面と可動フレーム１２にそれぞれ設けるようにしてもよく、ユニット保持部１３表面と可動フレーム１２との目印の合致から先端部１３ａのユニットケース５０前後方向位置を作業者が容易に把握でき、作業者が可動フレーム１２及びユニット保持部１３を動かして先端部１３ａを凸部６１に掛ける作業の能率を向上させられる。
【００３７】
この他、ユニット保持部１３の先端部１３ａをユニットケース５０前方側から作業者が直接視認できるようにする開口部を可動フレーム１２及び／又はユニット保持部１３に設ける構成とすることもでき、前記目印等を設ける場合と同様に、ユニット保持部１３の先端部１３ａを凸部６１に掛ける作業が能率よく行えることとなる。この場合、先端部１３ａに対しＬＥＤ等を用いて照明を行えば、さらに作業性を向上させられる。
【００３８】
前記ねじ軸１４は、可動フレーム１２の前辺部分１２ａと直交する配置関係でこの前辺部分１２ａ中央部に回動可能に支持されると共に、ユニット保持部１３の前辺部分１３ｃ中央部に螺合し、軸周りの回転でユニット保持部１３との螺合位置を相対移動させるのに伴って、固定フレーム１１や可動フレーム１２に対しユニット保持部１３をユニットケース５０前後方向に移動させられる構成である。
【００３９】
前記ハンドル１５は、可動フレーム１２の前辺部分１２ａよりユニットケース５０前方側に位置するねじ軸１４の一端部に一体に取付けられ、ねじ軸１４を手動回転させるものである。このハンドル１５は、折りたたみ式やねじ軸１４から着脱可能とするなどして、コンパクト化を図れる構成とすることもできる。
【００４０】
このねじ軸１４及びハンドル１５からなる駆動機構、並びに可動フレーム１２が、ユニット取付・取外し作業状態でユニットケース５０のベース５１からベース前方側へ突出する合計寸法は、ユニットケース５０の透明カバー５５をベース５１から外してベース前方側へずらして交換等のために完全に取外す際に、ベース５１のベース前方側に必要となる最小限のスペースにおさまるように設定するのが好ましく、この場合、ユニット式電力量計を正常に設置できた箇所であれば、いずれの箇所でも工具をベース５１に取付けた状態でハンドルや可動フレーム等の操作スペースを確保でき、工具をユニットの着脱に利用できることとなる。
【００４１】
また、ねじ軸１４及びハンドル１５からなる駆動機構、ユニット保持部１３、並びに可動フレーム１２を合せた、固定フレーム１１以外の上下可動部分については、この上下可動部分全体の重心が、固定フレーム１１からベース前方側に離れて位置するために、この上下可動部分をハンドル１５側が下方となるように傾けた状態とした場合、可動フレーム１２の端部が固定フレーム１１の長孔１１ｇ、１１ｈ内で傾いて、可動フレーム１２の端部の角部と固定フレーム１１の長孔周縁部とが接触する中、この可動フレーム端部角部と長孔周縁部との摩擦、並びに上下可動部分全体の重心位置による前記角部周りのモーメントの釣合いの関係で、上下可動部分は固定フレーム１１に対し落下することなく止った状態に保持されることとなる（図１８参照）。
【００４２】
ベース５１における最上段のユニット取付位置は、手による着脱が容易な通信ユニット等が取付けられることで工具によるユニット着脱が通常行われないが、この最上段のユニット取付位置の高さまで可動フレーム１２を到達させられる程度に可動フレーム１２の移動範囲を設定していることで、ベース５１における下側二段のユニットを手で取扱う作業状況で、可動フレーム１２をはじめとする上下可動部分を最上段のユニット取付位置の高さまで上に移動させ、ハンドル１５側が下方となるように傾けておけば、上下可動部分をこの最上段のユニット取付位置でそのままずれなく保持することができ、可動フレーム１２やユニット保持部１３等が下側二段のユニットに対する作業の障害とならず、また可動フレーム１２等を手で下方に落ちないよう支えておく必要もなく、スムーズにユニットに係る作業を行える。
【００４３】
次に、前記構成に基づくユニット着脱用工具を使用したユニットの取付・取外し作業について説明する。まず、ユニットケース５０からユニット６０を取外す場合、あらかじめユニットケース５０の透明カバー５５を取外し、取外し対象のユニット６０左右の固定ねじ６３を緩めた状態のベース５１に対し、工具の可動フレーム１２やハンドル１５をベース前方側に向けた状態で、固定フレーム１１を上方からベース５１に被せるようにし、ベース５１上面のカバー留め部５２を固定フレーム１１の上辺部分１１ａの孔１１ｄに貫通させ係合させると共に、ベース５１左右側面の各カバー留め部５３、５４を固定フレーム１１左右の側辺部分１１ｂ、１１ｃの切欠き部１１ｅ、１１ｆにそれぞれ係合させて、固定フレーム１１をベース５１に固定する（図１１、図１２参照）。
【００４４】
固定フレーム１１を固定した後、必要に応じてハンドル１５を回してユニット保持部１３のベース前後方向位置を調整し、ユニット保持部１３の先端部１３ａがベース５１から離れてユニット６０の凸部６１や固定ねじ６３に接触しないようにして、可動フレーム１２等の前記上下可動部分が上下方向にスムーズに移動できるようにした上で、可動フレーム１２をユニット保持部１３等と共に固定フレーム１１に対し上下に動かし、ユニット保持部１３の先端部１３ａが取外し対象のユニット６０の凸部６１のすぐ上側に位置する状態とする（図１５（Ａ）参照）。さらに、ハンドル１５を回してユニット保持部１３の前後位置を調整し、先端部１３ａを十分にベース５１に接近させてから（図１５（Ｂ）参照）、可動フレーム１２をユニット保持部１３等と共に下げ、左右の先端部１３ａをユニット６０の左右の凸部６１にそれぞれ掛ける（図１６（Ａ）参照）。
【００４５】
こうして先端部１３ａがユニット６０の凸部６１に掛ったら、ハンドル１５を回してユニット保持部１３をユニット６０と共にベース前方側へ徐々に移動させ（図１６（Ｂ）、図１７（Ａ）参照）、ユニット６０の移動に伴いユニット側端子６４とユニットケース側端子５６の電気的接続状態を解除し、ユニット６０を手で容易に引出せる状態とする。この状態までユニット６０を移動させたら、この取外し対象のユニット６０下側に他のユニットが存在していない場合はユニット６０を下から手で支えつつ、可動フレーム１２をユニット保持部１３等と共に上方に動かし（図１７（Ｂ）参照）、取外し対象のユニット６０と押圧部１３ｂとが接触しない、可動範囲の最上位置まで移動させたら、この可動フレーム１２をはじめとする上下可動部分を最前方のハンドル１５側が下方となるようにゆっくり傾けると、上下可動部分は落下せず止った状態に保持される（図１８参照）。
この状態で、工具により途中まで取外したユニット６０を作業者が手で取外す。そして、引続いて他のユニットも取外す場合は、前記同様の手順で作業を繰返すこととなる。
【００４６】
一方、取外した箇所にすぐ新たなユニット６０を取付ける場合は、可動フレーム１２をはじめとする上下可動部分を上方に位置させた状態のまま、作業者が新たなユニット６０を取付対象箇所に手で押込み、ユニット側端子６４とユニットケース側端子５６の電気的接続状態が得られる直前の手で軽く押込める限界位置まで到達させる。続いて、この取付対象のユニット６０下側に他のユニットが存在していない場合はユニット６０を下から手で支えつつ、上方に位置させていた可動フレーム１２をユニット保持部１３等と共に、傾いた状態から上下移動可能な向きに手で直してから下げ、且つ必要に応じてハンドル１５を回してユニット保持部１３の前後位置を調整して、ユニット保持部１３の押圧部１３ｂがユニット６０の前面にほぼ接すると共に、ユニット保持部１３の左右の先端部１３ａがユニットの左右の凸部６１にそれぞれ掛った状態とする（図１９参照）。
【００４７】
この状態から、ハンドル１５を回してユニット保持部１３をベース後方側へ徐々に移動させ、押圧部１３ｂでユニット６０の前面を押し、ユニット６０を少しずつベース５１に近付けていく（図２０参照）。押されたユニット６０が、ユニット側端子６４とユニットケース側端子５６との電気的接続がなされた正常な取付状態に至り、押圧部１３ｂの切欠き部１３ｆから見える他のユニットの前面と取付対象のユニット６０の前面とが揃った状態を確認したら、取付完了としてハンドル１５を回すのを止めてユニット保持部１３の移動を停止させる。
【００４８】
仮に、ユニット６０が正常な取付状態となった後も、誤ってハンドル１５を回し続けたとしても、取付対象のユニット６０以外の他のユニット６５、６６が正常な取付状態で存在している場合には、取付対象のユニット６０前面より広い押圧部１３ｂの上下端部が他のユニット６５、６６の前面に当接して（図２０（Ｂ）参照）、押圧部１３ｂのそれ以降のベース後方側への進行が阻止されるため、取付対象のユニット６０やベース５１等に過剰に力が加わることはなく、これらの破損を防止できる。
【００４９】
この後、可動フレーム１２とユニット保持部１３等を上方にずらし、先端部１３ａがユニット６０の凸部６１に掛らない状態とし（図２１（Ａ）参照）、さらにハンドル１５を回して先端部１３ａをベース５１から十分離隔させてユニット６０の凸部６１や固定ねじ６３に接触しないようにしてから（図２１（Ｂ）参照）、続けて他のユニットを取付ける場合は前記同様の作業を繰返す。ユニット取付終了の場合は、固定フレーム１１を持上げてベース５１から取外せば、作業終了となる。
【００５０】
このように、本実施形態に係るユニット着脱用工具においては、固定フレーム１１をユニットケース５０のベース５１におけるカバー留め部５２、５３、５４に係合させて固定した上で、可動フレーム１２及びユニット保持部１３をユニット６０位置に合せ、ユニット保持部１３の先端部１３ａをユニット６０の凸部６１に掛け、あるいは押圧部１３ｂをユニット６０の前面側に位置させた上で、駆動機構をなすハンドル１５を回してユニット保持部１３をユニットケース５０の前後方向に移動させると、ユニット６０をユニットケース５０に対し遠ざける向き又は近付ける向きに強力に動かせることから、ユニット６０のユニットケース５０への取付及び取外し作業を安全に且つ能率よく実行でき、作業者は作業に際し強い力を加えずに済み、ユニット式電力量計の設置面等への悪影響を防げる。また、固定フレーム１１がベース５１のカバー留め部５２、５３、５４に固定される以外で、工具の支持に係るユニットケース５０への接触はないことから、ユニットケース５０本体部分を損傷させずに済み、ユニットケース内の気密を損うような事態を招かず、計器に悪影響を与えない。
【００５１】
なお、前記実施形態に係るユニット着脱用工具においては、可動フレーム１２端部を固定フレーム１１の長孔と係合させ、可動フレーム１２が固定フレーム１１に対し特に制約無くスライド可能とする構成としているが、これに限らず、例えば固定フレームの長孔近傍に又は長孔に連続して、位置決め用の凹部を上下方向に所定間隔で設けると共に、可動フレーム側に前記凹部に係脱自在となる凸部分を設けて、可動フレームを固定フレームに対しスライドさせる際に、ちょうどユニット保持部の先端部をユニットの凹部に掛けられる位置で、可動フレーム側の凸部分を固定フレーム側の凹部に係合させて可動フレームの位置決めを行う構成とすることもでき、ユニットの取付や取外しの際に可動フレームとユニット保持部等を上下方向における適切な箇所に速やかに位置させて作業が行え、位置合せの手間を省略して作業の能率を大きく向上させられる。
【００５２】
また、前記実施形態に係るユニット着脱用工具においては、駆動機構として、可動フレーム１２に回動自在に支持されたねじ軸１４がユニット保持部１３の一部に螺合して、ねじ軸１４の回転に伴いユニット保持部１３のねじ軸１４との螺合位置を変えてユニット保持部１３を前後に移動させる構成としているが、これに限らず、ねじ軸が、可動フレームのベース前方位置に螺合してベース前後方向に螺動可能とされると共に、一端部をユニット保持部に相対回転を許容しつつ一体にベース前後方向に移動する状態として取付けられ、さらにハンドルをねじ軸の他端部に一体に取付けて、ハンドルの手動回転でねじ軸を前後に螺動させつつユニット保持部を前後移動させる構成とすることもできる。加えて、駆動機構としては、ねじ等を利用した機構の他、減速歯車列等を用いたものでもよく、さらに、こうした手動機構に限られるものではなく、モータ等を用いて作業者のスイッチ操作等のみで自動的にユニット保持部を動かせるような機構としてもかまわない。
【００５３】
また、前記実施形態に係るユニット着脱用工具においては、可動フレーム１２を固定フレーム１１に対し上下方向移動可能とするために、固定フレーム１１の上下方向に連続する長孔１１ｇ、１１ｈに可動フレーム１２の端部を係合させる構成としているが、これに限らず、固定フレーム及び可動フレームがそれぞれ十分に剛性を有してそれぞれの側辺部分の間隔がほとんど変化しないような構造であれば、固定フレームの内周側又は外周側に設けた上下方向に連続する凸条又は溝に、可動フレーム端部に設けた溝又は凸条を摺動可能に係合させて、上下方向に移動可能な状態を得る構成とすることもできる。
【００５４】
（本発明の第２の実施形態）
本発明の第２の実施形態を図２２ないし図２５に基づいて説明する。
前記各図において本実施形態に係るユニット着脱用工具２は、前記第１の実施形態同様、固定フレーム２１と、可動フレーム２２と、ユニット保持部２３と、ねじ軸２４と、ハンドル２５とを備える一方、異なる点として、ユニット保持部２３の押圧部２３ｂに、この押圧部２３ｂで押す対象、すなわち取付対象のユニット６０と隣接する正常な取付状態の既設他ユニットの前面と一部を接触させて相対移動させ、この相対移動する部分の押圧部２３ｂのベース前方側における露出状態を変化させる取付状態指示部２６が配設される構成を有するものである。
【００５５】
なお、取付状態指示部２６が配設される点以外のユニット保持部２３をはじめ、固定フレーム２１、可動フレーム２２、ねじ軸２４、及びハンドル２５については、前記第１の実施形態と同様の構成であり、説明を省略する。
【００５６】
前記取付状態指示部２６は、押圧部２３ｂの下側の端部に、押圧部２３ｂの板面と直交する向きに摺動可能に配設される略棒状部分を有し、押圧部２３ｂをベース前後方向に貫通する表示片２６ａと、この表示片２６ａと押圧部２３ｂに連結させて配設され、表示片２６ａをベース後方側に付勢するばね２６ｂとを備える構成である（図２４参照）。
【００５７】
前記ばね２６ｂは、表示片２６ａをベース後方側に付勢して、通常状態で表示片２６ａの一端部を押圧部２３ｂのベース後方側のシート２３ｈの面と略一致した状態とするものである。
【００５８】
押圧部２３ｂの移動に伴い取付対象のユニット６０が正常な取付状態の位置近傍まで近付くと、既に正常な取付状態にある前記他ユニット６５前面と、シート２３ｈと共に押圧部２３ｂのベース後方側に位置する表示片２６ａ一端部とが接触し、表示片２６ａがばね２６ｂの付勢力に抗して相対移動する仕組みであり、取付対象のユニット６０が正常な取付状態の位置に達すると、他ユニット６５前面に近付いた表示片２６ａがさらにベース前方側に相対移動して、押圧部２３ｂのベース前方側、すなわち押圧部２３ｂの前面側に露出している表示片２６ａの他端部では、他部分と色を異ならせた表示片２６ａ周側面の着色部２６ｃが表面に現れて視認可能となることで、取付対象のユニット６０がユニット側端子とユニットケース側端子との電気的接続がなされた正常な取付状態に至り、ユニット保持部２３の移動を停止させてよいことを作業者が容易に判別できる仕組みである。
【００５９】
次に、前記構成に基づくユニット着脱用工具を使用したユニットの取付作業について説明する。前提として、ユニット６０の取付対象位置の下側に他のユニット６５が正常な取付状態で既に存在しているものとする。
【００６０】
あらかじめ可動フレーム２２をはじめとする上下可動部分をユニット６０の取付対象位置より上方に位置させた状態で、作業者がユニット６０を取付対象箇所に手で押込み、ユニット側端子とユニットケース側端子の電気的接続状態が得られる直前の手で軽く押込める限界位置まで到達させる。続いて、上方に位置させていた可動フレーム２２をユニット保持部２３等と共に下げ、且つ必要に応じてハンドル２５を回してユニット保持部２３の前後位置を調整して、ユニット保持部２３の押圧部２３ｂがユニット６０の前面にほぼ接すると共に、ユニット保持部２３の左右の先端部２３ａがユニットの左右の凸部６１にそれぞれ掛った状態とする。この時、押圧部２３ｂのうち取付状態指示部２６のある下部は、取付対象のユニット６０前面から外れ、他のユニット６５の前方側に位置している。
【００６１】
この状態から、作業者はハンドル２５を回してユニット保持部２３をベース後方側へ徐々に移動させ、押圧部２３ｂでユニット６０の前面を押し、ユニット６０を少しずつベース５１に近付けていく（図２５（Ａ）参照）。押されたユニット６０が、ユニット側端子とユニットケース側端子との電気的接続がなされた正常な取付状態に至り、他のユニット６５前面に当接している取付状態指示部２６の表示片２６ａにおける他端部が押圧部２３ｂの前面側に大きく突出し、表示片２６ａ他端側の周側面における着色部２６ｃが現れたのを確認したら（図２５（Ｂ）参照）、取付完了としてハンドル２５を回すのを止めてユニット保持部２３の移動を停止させる。
【００６２】
この後、前記第１の実施形態同様、可動フレーム２２をユニット保持部２３等と共に上方にずらし、先端部２３ａがユニット６０の凸部６１に掛らない状態とし、さらにハンドル２５を回して先端部２３ａをベース５１から十分離隔させてユニット６０の凸部６１や固定ねじ６３に接触しないようにしてから、続けて他のユニットを取付ける場合は前記同様の作業を繰返す。ユニット取付終了の場合は、固定フレーム２１を持上げてベース５１から取外せば、作業終了となる。
【００６３】
このように、本実施形態に係るユニット着脱用工具においては、ユニット保持部２３の押圧部２３ｂ下側の端部に、既に正常取付状態にある他ユニット６５前面と接触して表示片２６ａを相対移動可能とする取付状態指示部２６を設け、この取付状態指示部２６の相対移動する表示片２６ａの押圧部２３ｂ前面側における露出状態変化から、押圧部２３ｂで押す対象のユニット６０が正常な取付状態の位置まで達しているか否かを確認できることから、ユニット６０の正常取付状態を押圧部２３ｂの前面側から容易に判断でき、ユニット６０とベース５１との位置関係が正常取付状態に至ったことを的確に把握して作業を速やかに終了でき、作業能率を向上させられると共に、ユニット６０をユニット保持部２３で押しすぎることが無く、過剰な力を加えてユニット６０やベース５１等が破損するのを避けられる。
【００６４】
なお、前記実施形態に係るユニット着脱用工具においては、取付状態指示部２６を押圧部２３ｂの下側の端部に設ける構成としているが、押圧部２３ｂにおける取付対象のユニット６０前面との接触がない上側の端部に同様の取付状態指示部を設ける構成とすることもできる。また、押圧部２３ｂで押す対象のユニット６０が正常な取付状態に達したことを、取付状態指示部２６における表示片２６ａの押圧部２３ｂ前面側への露出状態変化から確認できる構成としているが、これに限らず、ＬＥＤ等の表示部や警報音の出力部等を正常取付状態にある他ユニット前面との位置関係に応じて動作させ、押圧部で押す対象のユニットが正常な取付状態の位置まで達していることを作業者が確認可能な状況を得る構成としてかまわない。
【符号の説明】
【００６５】
１、２            ユニット着脱用工具
１１、２１        固定フレーム
１１ａ            上辺部分
１１ｂ、１１ｃ    側辺部分
１１ｄ            孔
１１ｅ、１１ｆ    切欠き部
１１ｇ、１１ｈ    長孔
１２、２２        可動フレーム
１２ａ            前辺部分
１２ｂ、１２ｃ    側辺部分
１２ｄ、１２ｅ    端部
１３、２３        ユニット保持部
１３ａ、２３ａ    先端部
１３ｂ、２３ｂ    押圧部
１３ｃ            前辺部分
１３ｄ、１３ｅ    側辺部分
１３ｆ            切欠き部
１３ｇ            リブ部
１３ｈ、２３ｈ    シート
１４、２４        ねじ軸
１５、２５        ハンドル
２６              取付状態指示部
２６ａ            表示片
２６ｂ            ばね
２６ｃ            着色部
５０              ユニットケース
５１              ベース
５１ａ            端子部
５２、５３、５４  カバー留め部
５５              透明カバー
５６              ユニットケース側端子
６０、６５、６６  ユニット
６１              凸部
６２              隙間
６３              固定ねじ
６４              ユニット側端子
【図１】
0005427652.tif 000002
【図２】
0005427652.tif 000003
【図３】
0005427652.tif 000004
【図４】
0005427652.tif 000005
【図５】
0005427652.tif 000006
【図６】
0005427652.tif 000007
【図７】
0005427652.tif 000008
【図８】
0005427652.tif 000009
【図９】
0005427652.tif 000010
【図１０】
0005427652.tif 000011
【図１１】
0005427652.tif 000012
【図１２】
0005427652.tif 000013
【図１３】
0005427652.tif 000014
【図１４】
0005427652.tif 000015
【図１５】
0005427652.tif 000016
【図１６】
0005427652.tif 000017
【図１７】
0005427652.tif 000018
【図１８】
0005427652.tif 000019
【図１９】
0005427652.tif 000020
【図２０】
0005427652.tif 000021
【図２１】
0005427652.tif 000022
【図２２】
0005427652.tif 000023
【図２３】
0005427652.tif 000024
【図２４】
0005427652.tif 000025
【図２５】
0005427652.tif 000026